(57)【要約】  本発明による衛生洗浄装置は、シリンダと、前端部に噴射口を有し後端部に第２の流入口を有するピストンスライダと、を備え、シリンダ内にはピストンスライダを進退自在に収容すると共に、ピストンスライダを後退方向に付勢する付勢手段が設けられ、ピストンスライダの後端部には、シリンダ内に流入する洗浄水の水圧を受ける水圧受け部が形成されると共に、シリンダ内に流入する洗浄水の圧力を前記ピストンスライダの水圧受け部で受けることで、ピストンスライダを付勢手段の付勢力に逆らって使用位置まで進出させることを特徴とする。簡単な構成でもって、水圧式ノズルの進出途中に、噴射口から洗浄水が吐水されることを抑制でき、かつノズルの使用後は、その流路内に洗浄水を残すことがなく清潔な状態を維持できる。
2013062097.tif 000002
【特許請求の範囲】
【請求項１】
給水源から供給される洗浄水を人体に噴射する衛生洗浄装置において、
後端部に第１の流入口を有するシリンダと、
前端部に噴射口と後端部に第２の流入口とを有し、内部に噴射口と第２の流入口とをつなぐ流路を有するピストンスライダと、を備え、
前記シリンダ内には前記ピストンスライダを進退自在に収容すると共に、前記ピストンスライダを後退方向に付勢する付勢手段が設けられ、
前記ピストンスライダの後端部には、前記シリンダ内に流入する洗浄水の水圧を受ける水圧受け部が形成されると共に、前記噴射口からの洗浄水の吐水を抑制する吐水抑制手段が設けられ、
前記第１の流入口よりシリンダ内に流入する洗浄水の圧力を前記ピストンスライダの水圧受け部で受けることで、前記ピストンスライダを付勢手段の付勢力に逆らって使用位置まで進出させるようにしたものであって、
前記ピストンスライダの流路の一部と前記シリンダ内の空間とを常時連通させる連通路が設けられ、
前記連通路は、前記ピストンスライダの進出過程において前記シリンダ内の洗浄水の圧力を低下させないことを特徴とする衛生洗浄装置。
【請求項２】
前記連通路は、前記シリンダの軸方向に対して略垂直となるよう形成されていることを特徴とする請求項１に記載の衛生洗浄装置。
【請求項３】
前記連通路の開口は、前記シリンダ内の空間の上方に臨んでいることを特徴とする請求項１に記載の衛生洗浄装置。
【請求項４】
前記連通路の開口は、前記シリンダ内の空間の上方に臨んでいることを特徴とする請求項２に記載の衛生洗浄装置。
【発明の詳細な説明】
【技術分野】
【０００１】
本発明は、衛生洗浄装置に係り、特に洗浄ノズルから噴射する洗浄水によって、便座に着座した人の局部を洗浄する衛生洗浄装置に関する。
【背景技術】
【０００２】
従来、衛生洗浄装置は、噴射口を先端に設けたピストンスライダを、ばね力により後退方向に付勢した状態でシリンダ内に収納し、シリンダ内に流入させた洗浄水の圧力により、ピストンスライダを進出させる型式のいわゆる「水圧式ノズル」がよく知られている。  【０００３】
しかしながら、上記のような衛生洗浄装置では、シリンダ内に洗浄水を流入させ、ピストンスライダを所定の使用位置まで進出させる途中で、ピストンスライダの噴射口から洗浄水が噴射されてしまうという問題があった。【０００４】
そこで、上記のような問題を解決するために、例えば、特開平７−６２７１０号公報記載の衛生洗浄装置が提案されている（特許文献１）。特開平７−６２７１０号公報記載の衛生洗浄装置では、ピストンスライダの進出途中において、シリンダ内に流入する洗浄水の圧力によりピストンスライダ後端部の流入口を閉塞するスライド栓と、そのスライド栓をガイドするガイド棒と、スライド栓を当止させるストッパとが設けられている。これにより、ピストンスライダの進出途中でスライド栓がストッパに当止するまで、スライド栓はピストンスライダの流入口を閉塞し、スライド栓がストッパに当止しピストンスライダが前方に進出した時点で、その流入口を開放することになる。【０００５】
したがって、ピストンスライダの進出途中において、ピストンスライダが所定の位置に達するまではピストンスライダの流入口に洗浄水が流入することがないため、ピストンスライダの噴射口から不意に洗浄水が噴射されることがない。
【先行技術文献】
【特許文献】
【０００６】
【特許文献１】特開平７−６２７１０号公報
【発明の概要】
【発明が解決しようとする課題】
【０００７】
しかしながら、特開平７−６２７１０号公報記載の衛生洗浄装置では、ピストンスライダの後退時においても、スライド栓がピストンスライダの流入口を閉塞してしまうため、ピストンスライダの流路内に残された洗浄水が、流路から抜けずにそこに長時間滞留してしまう。このような衛生洗浄装置では、ピストンスライダの流路内に洗浄水が長時間滞留することで、流路内に細菌が繁殖してしまう恐れがあった。また、温水を噴射する衛生洗浄装置の場合、洗浄動作の初期に冷水が噴射されることがあり、使用者に不快感を与える恐れがあった。【０００８】
そこで、本発明は、上述した従来技術の問題点を解決するためになされたものであり、簡単な構成でもって、水圧式ノズルの進出途中に、噴射口から洗浄水が吐水されることを抑制でき、かつノズルの使用後は、その流路内に洗浄水を残すことがなく清潔な状態を維持できる衛生洗浄装置を提供することを目的としている。
【課題を解決するための手段】
【０００９】
本発明の一態様によれば、給水源から供給される洗浄水を人体に噴射する衛生洗浄装置において、後端部に第１の流入口を有するシリンダと、前端部に噴射口と後端部に第２の流入口とを有し、内部に噴射口と第２の流入口とをつなぐ流路を有するピストンスライダと、を備え、前記シリンダ内には前記ピストンスライダを進退自在に収容すると共に、前記ピストンスライダを後退方向に付勢する付勢手段が設けられ、前記ピストンスライダの後端部には、前記シリンダ内に流入する洗浄水の水圧を受ける水圧受け部が形成されると共に、前記噴射口からの洗浄水の吐水を抑制する吐水抑制手段が設けられ、前記第１の流入口よりシリンダ内に流入する洗浄水の圧力を前記ピストンスライダの水圧受け部で受けることで、前記ピストンスライダを付勢手段の付勢力に逆らって使用位置まで進出させるようにしたものであって、前記ピストンスライダの流路の一部と前記シリンダ内の空間とを常時連通させる連通路が設けられ、前記連通路は、前記ピストンスライダの進出過程において前記シリンダ内の洗浄水の圧力を低下させないことを特徴とする衛生洗浄装置が提供される。
【図面の簡単な説明】
【００１０】
【図１】本発明を適用する衛生洗浄装置の一例を示す斜視図である。
【図２】図１のノズル装置の外観斜視図である。
【図３】図２のノズル装置の断面図である。
【図４】水圧受け部および吐水抑制部材の斜視図である。
【図５】図４を別の角度から見た斜視図である。
【図６】ピストンスライダの収納位置を図４のＡ−Ａ断面図で示した図である。
【図７】ピストンスライダの進出途中を図４のＡ−Ａ断面図で示した図である。
【図８】ピストンスライダの使用位置を図４のＡ−Ａ断面図で示した図である。
【図９】ピストンスライダの後退途中を図４のＡ−Ａ断面図で示した図である。
【図１０】図４のＢ−Ｂ断面図である。
【図１１】図４のＣ−Ｃ断面図である。
【発明を実施するための形態】
【００１１】
上記の目的を達成するために、本発明は、以下のような手段を採用している。すなわち、本発明の衛生洗浄装置は、給水源から供給される洗浄水を人体に噴射する衛生洗浄装置において、後端部に第１の流入口を有するシリンダと、前端部に噴射口と後端部に第２の流入口とを有し、内部に噴射口と第２の流入口とをつなぐ流路を有するピストンスライダと、を備え、シリンダ内にはピストンスライダを進退自在に収容すると共に、ピストンスライダを後退方向に付勢する付勢手段が設けられ、ピストンスライダの後端部には、シリンダ内に流入する洗浄水の水圧を受ける水圧受け部が形成されると共に、噴射口からの洗浄水の吐水を抑制する吐水抑制手段が設けられ、第１の流入口よりシリンダ内に流入する洗浄水の圧力を前記ピストンスライダの水圧受け部で受けることで、ピストンスライダを付勢手段の付勢力に逆らって使用位置まで進出させるようにしたものであって、ピストンスライダの流路の一部とシリンダ内の空間とを常時連通させる連通路が設けられ、連通路は、ピストンスライダの進出過程においてシリンダ内の洗浄水の圧力を低下させないことを特徴とする。
【００１２】
このように構成された本発明においては、ピストンスライダの流路の一部とシリンダ内の空間とが連通路により常時連通状態となるため、ピストンスライダによる人体洗浄終了後、シリンダ内の空気が連通路を介して流路内に侵入するため、流路内に残された洗浄水は空気と置換され、噴射口より排出される。したがって、ピストンスライダの流路内に洗浄水を長時間残すことがなく、清潔な状態を維持できる。
また、連通路は、ピストンスライダの進出過程においてシリンダ内の洗浄水の圧力を低下させないよう構成されているため、ピストンスライダの進出動作を阻害することがなく、人体洗浄動作をスムーズに行うことができる。
【００１３】
本発明は、好ましくは、連通路は、シリンダの軸方向に対して略垂直となるよう形成されていることを特徴とする。
【００１４】
このように構成された本発明においては、ピストンスライダの進出過程においてシリンダ内に洗浄水を流入させシリンダの軸方向（ピストンスライダの進出方向）に水圧がかかった状態においても、その水圧方向と略垂直になるよう形成された連通路には洗浄水が侵入しづらく、ピストンスライダの進出過程で、噴射口より洗浄水が吐水されることをより確実に抑制できる。
【００１５】
本発明は、好ましくは、連通路の開口は、シリンダ内の空間の上方に臨んでいることを特徴とする。
【００１６】
このように構成された本発明においては、ピストンスライダの後退途中または後退後に、シリンダ内の洗浄水が排出されシリンダ内が徐々に空気で満たされていく過程において、ピストンスライダの連通路が、シリンダ内の空気と早く連通状態になり、流路内の洗浄水が早く排出される。
【００１７】
以下、本発明の実施の形態について図面を参照して詳細に説明する。
なお、図面は模式的または概念的なものであり、各部分の形状や縦横の寸法の関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には同一の符号を付して詳細な説明は適宜省略する。
【００１８】
図１は、本発明を適用する衛生洗浄装置の一例を示す斜視図である。
図１に示すように、本発明の実施形態による衛生洗浄装置１は、人体を洗浄するノズル装置２と、このノズル装置２を内部に収容するケーシング７と、ケーシング７に回動自在に軸支される便座９と、便座９の上部を覆う便蓋１１とから構成されている。また、ケーシング７にはノズル装置２を進退させるための開口部（図示しない）が形成され、その開口部を開閉するノズルシャッター５が設けられている。
また、ケーシング７の内部には、ノズル装置２に供給される洗浄水の供給・停止を切り替えるバルブユニット（図示しない）と、バルブユニットとノズル装置２の間に介在し洗浄水を所定の温度まで温める熱交ユニット（図示しない）とが内蔵されている。
【００１９】
次に、図２により、本発明の実施形態によるノズル装置２について説明する。
ノズル装置２は、先端部に洗浄水を噴射する噴射口１４を有する中空棒状のピストンスライダ６が、シリンダ４内に前後方向進退自在に収納されている。そして、ピストンスライダ６を前方に突出させる際は、シリンダ４の前端部に形成されたシリンダ開口部１３から突出させるようにしている。また、シリンダ４は、後端部に給水口８が設けられ、図示しない給水源からバルブユニット、熱交ユニット等を介して洗浄水が給水される。またシリンダ４の下方には図示しないケースプレートに取り付けるための取り付け部３が設けられている。
【００２０】
図３は、図２のノズル装置の断面図であり、シリンダ４の内部構造を示すものである。
図３に示すように、シリンダ４は、筒状部材１７と、筒状部材１７の後端開口を塞ぐ蓋部材１５とから構成されている。シリンダ４内に収納されるピストンスライダ６は、噴射口１４が形成された前スライダ１０と、流入口３０が形成された後スライダ１２とに分割され、両者は着脱自在に嵌合接続している。そして、このピストンスライダ６の内部には、流入口３０から噴射口１４までをつなぐ流路４１が設けられている。
シリンダ４内には、さらにピストンスライダ６を後退方向に付勢するばね１６が設けられ、後スライダ１２の流入口３０の周囲には、シリンダ４内に流入する洗浄水の水圧を受ける板状の水圧受け部１９が設けられ、シリンダ４内に流入する洗浄水の水圧を、この水圧受け部１９で受けることで、ピストンスライダ６をばね１６の付勢力に逆らって前方に進出させるよう構成されている。
【００２１】
さらに、シリンダ４内には、後スライダ１２の水圧受け部１９に当接し、流入口３０を後方から閉止する板状の吐水抑制部材２２が設けられ、ピストンスライダ６の進出途中で流入口３０に洗浄水が流入することを抑制するよう構成されている。この吐水抑制部材２２の動作については、後述で詳しく説明する。
【００２２】
次に、図４、図５により後スライダ１２の後端部および吐水抑制部材２２の詳細構造について説明する。図４、図５は、後スライダ１２の後端部および吐水抑制部材２２を示す拡大斜視図であり、図４は、後スライダ１２および吐水抑制部材２２を後方から見た図であり、図５は、それらを前方から見た図である。
【００２３】
図４に示すように、後スライダ１２の後端部は、板状の水圧受け部１９が形成され、その中央に流入口３０が形成されている。そして、水圧受け部１９には、流入口３０から水圧受け部１９の外側面３９まで延びる連通凹部３６が形成されている。また、水圧受け部１９には、先端に爪部２１を有し後方に向かって延びる係止フック２０が２箇所設けられている。また、水圧受け部の外側面３９には第１の凹部３２が設けられている。
【００２４】
一方、吐水抑制部材２２には、後スライダ１２の流入口３０を後方から閉止する流入口閉止部３３と、連通凹部３６を後方から閉止する連通凹部閉止部３５が設けられている。また、吐水抑制部材２２の上下左右の４箇所には、開口部２８が設けられている。吐水抑制部材２２の左右の開口部２８には、外周に向かって凹んだ第２の凹部３４が設けられ、吐水抑制部材２２の取り付け後は、後スライダ１２の係止フック２０が第２の凹部３４に沿って摺動自在になるよう構成されている。この時、係止フック２０の先端に爪部２１が形成されているため、吐水抑制部材２２が自然に外れるようなことがない。
【００２５】
さらに、図５に示すように、吐水抑制部材２２には、棒状の離間部材２４が前方に延びるよう形成され、吐水抑制部材２２が後スライダ１２の後端部に取り付けられた後は、後スライダ１２の第１の凹部３２に沿って摺動自在になるよう構成されている。
【００２６】
次に、図６、図７、図８、図９に基づき、本実施形態のノズル装置の動作について説明する。なお、図６は、ピストンスライダ６が収納位置にあるときの断面図であり、図７は、ピストンスライダ６が進出途中の位置にあるときの断面図である。また、図８は、ピストンスライダ６が使用位置にあるときの断面図であり、図９は、ピストンスライダ６が後退途中の位置にあるときの断面図である。なお、これらの断面図は、図４に示したピストンスライダ６のＡ−Ａ断面を基準として図示したものである。
【００２７】
図６に示す「収納位置」の線は、ピストンスライダ６が収納状態にあるときの、ピストンスライダ６の後端面の位置を基準とした線である。なお、図８に示す「開放位置」、「使用位置」の両線についても、ピストンスライダ６の後端面の位置を基準としたものである。なお、図６は、図３と同じ状態の図であり、重複する符号の部位については、説明を省略する。
【００２８】
図６に示すように、シリンダ４の筒状部材１７には、シリンダ開口部１３の近傍に段部２７と、シール面２６が形成されている。また、ピストンスライダ６の水圧受け部１９の前方側にゴム等でできたＯリング１８が取り付けられている。
【００２９】
ピストンスライダ６が収納位置にあるときであっても、シリンダ４内のピストンスライダ６より後方には若干のスペースが設けられている。このスペースに、図示しない給水口から洗浄水が給水され、その水圧をピストンスライダ６の水圧受け部１９および吐水抑制部材２２で受けることにより、ピストンスライダ６はばね１６の付勢力に逆らって進出を開始する。
【００３０】
図７に示すように、ピストンスライダ６の進出途中においては、シリンダ４内に流入する洗浄水の水圧により吐水抑制部材２２が、ピストンスライダ６の流入口３０を後方より閉止した状態となるため、シリンダ４内の洗浄水がピストンスライダ６の流路４１内に流入することを抑制でき、ピストンスライダ６の噴射口１４より洗浄水が吐水されることを抑制できる。
【００３１】
図７に示した状態の後、さらにピストンスライダ６が進出すると、吐水抑制部材２２の離間部材２４の前端がシリンダ４の段部２７に当接する。それにより、吐水抑制部材の移動が停止される。（このときのピストンスライダ６の位置は、図８の「開放位置」にある。）その後も、ピストンスライダ６の水圧受け部１９には吐水抑制部材２２の開口部２８を介して洗浄水の水圧がかかり、ピストンスライダ６は進出を継続する。そして、ピストンスライダ６が図８に示す「使用位置」まで到達すると、ピストンスライダ６のＯリング１８がシリンダ４のシール面２６に当接し、ピストンスライダ６は停止する。
【００３２】
このとき、図８に示すように、ピストンスライダ６の流入口３０は開放された状態となり、吐水抑制部材２２の開口部２８を介して洗浄水が流入する（図８の矢印）。そして、流入口３０に流入した洗浄水は、ピストンスライダ６内部の流路４１を流れ、噴射口１４より噴射される。
さらに、このとき、ピストンスライダ６のＯリング１８により、ピストンスライダ６の外周面とシリンダ４の内壁面との間をシールするため、ピストンスライダ６の外周面とシリンダ開口部１３との間の隙間から洗浄水が流出することがない。したがって、ピストンスライダ６の噴射口１４から噴射される洗浄水の水勢を低下させることがない。
【００３３】
その後、シリンダ４内への洗浄水の給水が停止されると、ピストンスライダ６の水圧受け部１９には洗浄水の水圧がかからなくなるため、ピストンスライダ６は、ばね１６の付勢力により後退を開始する。
そして、図９に示すように、ピストンスライダ６の後退途中においては、シリンダ４内のピストンスライダ６より後方側に溜まった洗浄水は、水圧受け部１９の外周面とシリンダ４の内壁面との間の隙間を介して、水圧受け部１９より前方側に流れる。その後、ピストンスライダ６の外周面とシリンダ開口部１３との間の隙間からシリンダ４外へ排出される。このように、ピストンスライダ６がばね１６の付勢力により後退し、それと共に、シリンダ４内の洗浄水が外へ排出されることで、最終的に図６の収納位置まで戻る。
【００３４】
特に、上記のようにピストンスライダ６の後退途中や、収納位置にあるときは、ピストンスライダ６の流入口３０が吐水抑制部材２２により閉止された状態となり、その流路４１内に洗浄水が残ってしまう恐れがあるが、本実施形態のノズル装置２では後述する連通路によりそれを解決している。
【００３５】
図１０により、本実施形態のノズル装置の連通路について説明する。
図１０は、図４のＢ−Ｂ断面を基準とした断面図であり、シリンダおよび吐水抑制部材も一緒に図示したものである。
【００３６】
図１０に示すように、ピストンスライダ６の流入口３０が吐水抑制部材２２により後方から閉止された状態においても、ピストンスライダ６の後端部には、（前述の連通凹部３６と連通凹部閉止部３５から構成される）連通路４０が形成され、流入口３０とシリンダ４内の空間とを常時連通した状態となっている。これにより、例えば、ピストンスライダ６が人体洗浄後に収納位置まで戻った際に、吐水抑制部材２２が流入口３０を後方から閉止していたとしても、連通路４０を介してピストンスライダ６の流路４１内に空気を侵入させることでき、流路４１内の洗浄水を外に排出させることができる。
なお、本実施形態の連通路４０は、シリンダ４の軸方向に対して、略垂直となるよう形成されている。これにより、シリンダ４内に洗浄水を流入させピストンスライダ６を進出させる過程において、連通路４０の方向と洗浄水の水圧がかかる方向とを直交させることができる。したがって、連通路４０に洗浄水の水圧がかかりにくくなり、ピストンスライダ６の進出過程でシリンダ４内の洗浄水の水圧を低下させることなく、ピストンスライダ６の進出動作を阻害させることがない。
また、本実施形態の連通路４０の開口４２は、シリンダ４内の空間の上方に臨むよう形成されている。これにより、ピストンスライダ６の後退途中または後退後に、シリンダ４内の洗浄水が排出されシリンダ４内が徐々に空気で満たされていく過程において、ピストンスライダ６の連通路４０が、シリンダ４内の空気と早く連通状態になり、流路４１内の洗浄水が早く排出される。
【００３７】
次に、図１１により、本実施形態のノズル装置の係止フックについて説明する。
図１１は、図４のＢ−Ｂ断面を基準とした断面図であり、シリンダおよび吐水抑制部材も一緒に図示したものである。
【００３８】
図１１に示すように、ピストンスライダ６の後端部には、先端に爪部２１を有した係止フック２０が設けられ、吐水抑制部材２２がピストンスライダ６から所定距離以上離れないよう構成されている。
これにより、使用者が清掃などをする際に、手でピストンスライダ６先端を引っ張るなどして、ピストンスライダ６を無理やり進出させるようなことがあっても、吐水抑制部材２２がピストンスライダ６より所定距離以上離れないため、吐水抑制部材２２がシリンダ４内で回転するなどして、吐水抑制部材２２の閉止動作が適切に行えなくなるようなことがない。
【００３９】
以上、上記の通り、図を用いて本実施形態におけるノズル装置について説明してきたが、本発明はこれに限定されるものではなく、本発明の主旨を逸脱しない範囲で適宜設計できるものである。例えば、本実施形態において連通路４０は１箇所だけ設けているが、複数箇所設けるものであっても良い。また、連通路４０を構成する連通凹部３６はピストンスライダ６側に設けたが、吐水抑制部材２２側に設けてもよい。
【産業上の利用可能性】
【００４０】
本発明の態様によれば、簡単な構成でもって、水圧式ノズルの進出途中に、噴射口から洗浄水が吐水されることを抑制でき、かつノズルの使用後は、その流路内に洗浄水を残すことがなく清潔な状態を維持できる衛生洗浄装置が提供される。
【符号の説明】
【００４１】
１  衛生洗浄装置
２  ノズル装置
３  取り付け部
４  シリンダ
５  ノズルシャッター
６  ピストンスライダ
７  ケーシング
８  給水口
９  便座
１０  前スライダ
１１  便蓋
１２  後スライダ
１３  シリンダ開口部
１４  噴射口
１５  蓋部材
１６  ばね
１７  筒状部材
１８  Ｏリング
１９  水圧受け部
２０  係止フック
２１  爪部
２２  吐水抑制部材
２４  離間部材
２８  開口部
３０  流入口
３２  第１の凹部
３３  流入口閉止部
３４  第２の凹部
３５  連通凹部閉止部
３６  連通凹部
３９  外側面
４０  連通路
４１  流路
４２  連通路の開口
【図１】
2013062097.tif 000003
【図２】
2013062097.tif 000004
【図３】
2013062097.tif 000005
【図４】
2013062097.tif 000006
【図５】
2013062097.tif 000007
【図６】
2013062097.tif 000008
【図７】
2013062097.tif 000009
【図８】
2013062097.tif 000010
【図９】
2013062097.tif 000011
【図１０】
2013062097.tif 000012
【図１１】
2013062097.tif 000013
【国際調査報告】
2013062097.tif 000014
2013062097.tif 000015
2013062097.tif 000016